Podtech/llm-jp-corpus-v4-ja_patent huggingface dataset:
(57)【要約】      （修正有）【課題】洗浄水に因るベッドや寝具の汚損湿潤を防止し、利用者の頭部の保持の確保と介護士、看護師の労力、心配を軽減し、利用者と実施者の双方に益する為に介護医療用洗髪時頭部保持枕を提供する。【解決手段】頭部を保持する洗髪専用枕で、直径２〜３ミリメートルの多数の排水穴を所定の間隔で設ける。【選択図】図Ｉ
0003187908.tif 000002
【実用新案登録請求の範囲】
【請求項１】
頭髪の洗髪洗浄時に頭部保持の為に使用する専用枕
【請求項２】
頭髪の洗髪、洗浄時にベッドや寝具を汚損、湿潤から防護する為に使用する専用防水シート
【考案の詳細な説明】
【技術分野】
【０００１】介護、医療用品製造分野
【背景技術】
【０００２】介護、医療用品の物作り分野
【先行技術文献】
【特許文献】
【特許文献Ｉ】特許庁公開広報参考文献参照
【特許文献２】特許庁公開広参考文献参照
【非特許文献】
【０００４】
【非特許文献Ｉ】公開技報｜非特許文献調査｜その他調査｜「ｅ−ｐａｔｅｎｔ」知的財産（特許庁）を参照
【非特許文献２】同上参照
【考案の概要】
介護、医療現場に於いて、被介護者や傷病者が頭髪の洗浄を希望し。此を実施する際、介護者、看護師が頭部を確保し、ベッドや寝具の汚損湿潤を防止保護する為に防水に苦労し、依頼者の頭部を保持するのに苦慮している状況を見て、此れを解決する為、頭髪洗浄用専用枕とベッド、寝具の保護防水の為、頭髪洗浄用専用防水シートを考案した
【考案が解決しようとする課題】介護、医療現場に於ける被介護者、傷病者が希望する頭髪洗浄の際に生ずる被介護者や、傷病者が受ける苦痛と介護者、看護師が受ける苦労を和らげ、介護、医療用ベッドや寝具の汚損湿潤の防止保護
【課題を解決するための手段】被介護者、傷病者の頭髪洗浄時に使用する洗浄用専用枕及ベッドや寝具の汚損を防護し湿潤を防止する為の洗浄用専用防水シーとの新規開発と製造
【考案の効果】介護、医療現場に於ける被介護者、傷病者の頭髪洗浄時に生じる頭部保持が容易になりベッドや寝具の保護、防水が可能になり被介護者、傷病者、介護者、看護師の相方が受ける苦痛を和らげ、介護、医療用品の新規開発製造が期待される
【図面の簡単な説明】介護、医療用のベッドで、頭髪洗浄時に使用する。頭部保持の為の、専用枕とベッド及び寝具の汚損湿潤防止保護の為の専用防水シートを設置した時の図、
【図１】
【図２】
【考案を実施するための形態】
身体機能の低下、若しくは不自由状態に在る被介護者、傷病者の頭髪洗浄用専用枕の新規開発製造、頭髪洗浄用専用防水シートの新規開発製造、
【実施例】現時点に於ける目覗例は無い
【図Ｉ】
0003187908.tif 000003
【図２】
0003187908.tif 000004
【手続補正書】
【提出日】平成25年6月25日(2013.6.25)
【手続補正１】
【補正対象書類名】実用新案登録請求の範囲
【補正対象項目名】全文
【補正方法】変更
【補正の内容】
【実用新案登録請求の範囲】
【請求項１】
介護医療用洗髪時頭部保持枕
【手続補正２】
【補正対象書類名】明細書
【補正対象項目名】全文
【補正方法】変更
【補正の内容】
【考案の詳細な説明】
【技術分野】
【０００１】介護医療用品製造分野
【背景技術】
【０００２】介護医療用品の物作り分野
【先行技術文献】
【特許文献】
【特許文献Ｉ】特許庁公開広報参考文献参照
【特許文献２】特許庁公開広報参考文献参照
【非特許文献】
【０００４】
【非特許文献Ｉ】公開技報｜非特許文献調査｜その他調査｜「ｅ‐ｐａｔｅｎｔ」知的財産（特許庁）を参照
【非特許文献２】同上参照
【考案の概要】
介護医療現場に於いて被介護者や傷病者が頭髪の洗浄を希望  此を実施する際介護医療用ベッドが洗髪に使用された洗浄水により湿潤汚損するのを防止する為の頭部保持枕
【考案が解決しようとする課題】介護医療現場に於ける被介護者傷病者が希望する頭髪洗浄の際に生ずる介護医療用ベッドや寝具が洗髪に使用された洗浄水により汚損湿潤するのを防止する
【課題を解決するための手段】頭髪の洗浄時に使用する頭部保持枕の新規開発と製造
【考案の効果】介護医療現場に於ける被介護者傷病者の頭髪洗浄時に於けるベッドや寝具が洗浄水により汚損湿潤するのを防止、頭部保持枕の新規開発製造が発生
【図面の簡単な説明】介護医療用のベッド上で頭髪洗浄時に使用する頭部保持枕の立体図【図１】立体図
【考案を実施するための形態】
頭部保持枕の新規開発製造
【実施例】現時点に於ける目覗例は無い
【手続補正３】
【補正対象書類名】図面
【補正対象項目名】全図
【補正方法】変更
【補正の内容】
【図１】
0003187908.tif 000005
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
排水穴を所定の間隔で設けた介護医療用洗髪時頭部保持枕
(57)【要約】      （修正有）【課題】超小型カメラを指先に取付け、視界を格段に広げられるカメラの取付け部を有する指キャップを提供する。【解決手段】指キャップ本体１は、指の先端部分に、超小型カメラ本体７の取付部６を有する。これによって、指の入る穴や隙間が有れば、その向こう側を見ることが可能となる。また、目の届かない高い所でも踏み台に登らなくても手を上げて簡単に見ることが可能となる。また、後方も見ることが出来、防犯にも利用出来ることになる。【選択図】図１
0003187907.tif 000002
【実用新案登録請求の範囲】
【請求項１】
指先へのカメラ取付用指キヤップ（指サック），および指先へのカメラ取付固定および取付装置
【請求項２】
指先へのカメラ取付装置を有する手袋
【考案の詳細な説明】
【技術分野】
【０００１】この考案は超小型カメラを指先に取付けることにより、視界を格段に広げるものである
【背景技術】
【０００２】一般的なカメラは、ボデーとレンズが一体であり、また、映像を見るモニターテレビも一体である。このため狹い所にはカメラが入らず従ってその奥は見ることが出来ない。
この考案はカメラ母体とレンズを分離して指先に取付けることでこの欠点を解決した。
【考案の概要】
【考案が解決しようとする課題】
【０００３】カメラを指先に取付けることで、指の入る隙間があれば、壁の向こう側でも、また複雑な機械の奥でも見ることが出来る。また目の届かない高所でも、踏台に乗らなくても指が届けば見ることが出来る。医療の面でも、口の中や咽も見ることが出来る。防犯面でも、指を後方に向けておけば後方も見ることが出来る。
【課題を解決するための手段】
【０００４】本考案は、カメラのレンズと母体（モニターテレビ部）を分離して、しかも、レンズ部を指先に取付けることである。映像を見る方法としては、顔前面のメガネや帽子のヒサシに小型のテレビを取付けて見てもよいし、手持ちの携帯小型テレビでもよいし、卓上型モニターテレビでもよい。また写真にして見てもよい。映像を見る方法については、本考案は限定しない。
【考案の効果】
【０００５】指の入る穴や隙間が有れば、その奥や向こう側が見れるので、機械や車の修理や点検の際、手前の物がジャマで奥が見えない場合でも、手前の物を分解して取り除かなくても見ることが出来るようになる。また災害の際でもガレキの隙間に指を入れて、奥を見ることが出来るようになる。医療面でも、口の中は簡単に見れるし、咽も、口の入口から見る現在よりも、も少し奥迄見ることが出来るようになる。防犯面でも、指先を後方に向けていることで、後方が見え、防犯にも役立つようになる。
【図面の簡単な説明】
【０００６】
【図１】と
【図２】は、本考案の形状を示し、カメラの取付部を有する。
【図３】，
【図４】，
【図５】は、本考案の使用例を示したものである。  １……指キヤップ本体  ２……レンズ（カメラ）取付部  ３……指固定滑り止めホルダー  ４……レンズ（カメラ）取付部  ５……固定棒  ６……締付固定バンド  ７……カメラ（レンズ部）  ８……可視方向
【図１】
0003187907.tif 000003
【図２】
0003187907.tif 000004
【図３】
0003187907.tif 000005
【図４】
0003187907.tif 000006
【図５】
0003187907.tif 000007
【手続補正書】
【提出日】平成25年6月19日(2013.6.19)
【手続補正１】
【補正対象書類名】実用新案登録請求の範囲
【補正対象項目名】全文
【補正方法】変更
【補正の内容】
【実用新案登録請求の範囲】
【請求項１】
超小型カメラを指の先端に固定させる目的で、カメラと指サックとが合体出来るようにした、カメラの取付部を有する指キャップ。
【請求項２】
手袋も指の先端部分は同一である。この手袋に、超小型カメラを指の先端に固定させる目的で、カメラと指サックとが合体出来るようにした、カメラの取付部を有する指キャップ。
【手続補正３】
【補正対象書類名】明細書
【補正対象項目名】０００６
【補正方法】変更
【補正の内容】
【０００６】
【図１】立体図  本考案に至る経過と形状を示し、カメラ取付部を有する。
【図２】平面図（断面図）本考案の形状を示し、カメラの取付部を有する。
【図３】立体図  本考案の使用例を示したものである。
【図４】立体図  本考案の使用例を示したものである。
【図５】立体図  本考案の使用例を示したものである。(符号の説明)１……指キヤップ本体                        ２……電波（またはケーブル）３……モニターテレビ（ディスプレイ）        ４……レンズ（カメラ）取付部５……指キャップ（指サック）                ６……カメラ取付部７……カメラ本体                            ８……可視方向
【手続補正４】
【補正対象書類名】図面
【補正対象項目名】全図
【補正方法】変更
【補正の内容】
【図１】
0003187907.tif 000008
【図２】
0003187907.tif 000009
【図３】
0003187907.tif 000010
【図４】
0003187907.tif 000011
【図５】
0003187907.tif 000012
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
指の先端部分に、超小型カメラの取付部を有する指キャップ。
【請求項２】
指の先端部分に、超小型カメラの取付部を有する手袋。
(57)【要約】      （修正有）【課題】壁掛け用テレビ台座で、専用アタッチメントを必要とせずに薄型テレビを壁かけ可能にする金具付台座を提供する。【解決手段】壁掛け金具に上下左右前後の長さの調整できるスライド式アームを備えたフレーム式の台座を取付けることで、任意の薄型テレビの大きさにフレームを調整し載せることが可能となり、アタッチメントの製造販売のされていない薄型テレビも壁掛け設置が可能となる。従来の設置方法よりも空間を広く使用できることにより、役立つものである。【選択図】図１
0003187909.tif 000002
【実用新案登録請求の範囲】
【請求項１】
薄型テレビ用壁掛け金具付台座は、壁面取付け板を備えた壁掛け金具とフレーム式のテレビ用台座で構成され、壁掛け金具に備えてあるコの字型のテレビ用台座取付け金具にテレビ用台座のフレームを差込み角度調整をし止めピンでとめ固定する、薄型テレビ用壁掛け金具付台座
【請求項２】
前述のテレビ用壁掛け金具付台座のテレビ用台座のフレームに、上下左右前後の長さの調整できるスライド式アームを備え止めピンでとめ固定し使用する、請求項１記載の薄型テレビ用壁掛け金具付台座
【考案の詳細な説明】
【技術分野】
【０００１】  本考案は薄型テレビ用壁掛け金具付台座であって、薄型テレビを壁に取付けることのできる台座で、壁掛け用金具を壁に取付け壁掛け用金具に備えてあるコの字型のテレビ用台座取付け金具に、フレーム式のテレビ用台座を差込み止めピンでとめ、テレビ用台座の左右の角度調整とフレームの上下左右前後が調整可能なスライド式のアームを備えたもので、専用アタッチメントを必要とせずに任意の薄型テレビを壁掛け設置することが可能となる薄型テレビ用壁掛け金具付台座である。
【背景技術】
【０００２】  一般に薄型テレビ用壁掛け金具は、壁に取付けた金具と薄型テレビの背面に取付けた専用アタッチメントを接続し設置するもので、専用アタッチメントがないと壁掛け設置ができないものであった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来の薄型テレビ用壁掛け金具は、壁掛け設置をするために専用アタッチメントが必要であり、全ての薄型テレビが必ずしも壁掛け設置できる訳ではなく、又アタッチメントを準備するためにも当該テレビが壁掛け設置可能かどうかの確認調査も必要になってくる。このようなことから、専用アタッチメントを必要とせずに壁掛け設置を可能にする台座を考案することで、前述の欠点を解決しようとするものである。
【課題を解決するための手段】
【０００６】  本考案の薄型テレビ用壁掛け金具付台座は、壁に取付けた壁掛け金具にテレビ用台座を取付け止めピンでとめ、テレビ用台座に備えてある前後左右上下に長さの調整できるスライド式アームの長さをテレビのサイズに調整し止めピンでとめ、テレビ用台座に薄型テレビを載せて壁掛け設置が完了できることで、アタッチメントを必要とせずに設置でき、又事前の確認調査の手間も必要なくなることで、問題点を解決している。
【考案の効果】
【０００７】  前述のように、薄型テレビ用壁掛け金具付台座を利用することにより、薄型テレビの壁掛け設置が専用アタッチメントを必要とせずに、任意の薄型テレビの壁掛け設置が可能となり役立つものである。
【図面の簡単な説明】
【０００８】
【図１】薄型テレビ用壁掛け金具付台座の全体図である
【図２】図１のアから見た図である
【図３】図１のイから見た図である
【図４】図１のウから見た図である
【図５】図１のエから見た図である
【図６】図１のオから見た図である
【考案を実施するための形態】
【０００９】  壁掛け金具の壁面取付け板を壁にボルトで止め、壁掛け金具に備えてあるコの字型テレビ用台座取付け金具にテレビ用台座を差込み止めピンでとめ、テレビ用台座の壁掛け設置の完了となる。フレーム式のテレビ用台座に備えてある、前後左右上下に長さの調整できるスライド式のアームをテレビのサイズに調整し止めピンでとめ、任意の薄型テレビを載せることができる。
【実施例】
【００１０】  本考案の薄型テレビ用壁掛け金具付台座は、Ｄの壁面取付け板を壁にボルトでとめ、Ｃの壁掛け金具に備えてあるテレビ用台座取付け金具にテレビ用台座のフレームを差込み、テレビ用台座の左右の向きを調整し止めピンでとめ、固定する。テレビ用台座をテレビのサイズに合わせる調整には、Ｂの上下スライド式アームを動かしテレビの高さを合わせ止めピンでとめ、Ｅの左右スライド式アームを動かしテレビの幅を合わせ止めピンでとめ、Ａの前後スライド式アームを動かしテレビの奥行きを合わせ止めピンでとめ、載せるテレビのサイズにテレビ用台座を合わせることで、任意の薄型テレビの壁掛け設置が可能となる。
【符号の説明】
【００１１】ア  薄型テレビ用壁掛け金具付台座の側面である
イ  薄型テレビ用壁掛け金具付台座の上面である
ウ  薄型テレビ用壁掛け金具付台座の下面である
エ  薄型テレビ用壁掛け金具付台座の正面である
オ  薄型テレビ用壁掛け金具付台座の裏面である
カ  テレビ用台座のフレーム部分である
キ  薄型テレビ用壁掛け金具付台座の壁掛け金具部分である
ク  テレビ用台座の前後長さ調整方向を示すものである
ケ  テレビ用台座の上下長さ調整方向を示すものである
コ  テレビ用台座の左右長さ調整方向を示すものである
Ａ  テレビ用台座の前後スライド箇所である
Ｂ  テレビ用台座の上下スライド箇所である
Ｃ  コの字型テレビ用台座取付け金具及び止めピンである
Ｄ  壁掛け金具の壁面取付け板である
Ｅ  テレビ用台座の左右スライド箇所である
Ｇ  テレビ用台座の上下スライド止めピンである
Ｈ  テレビ用台座の左右スライド止めピンである
Ｊ  テレビ用台座の前後スライド止めピンである
【図１】
0003187909.tif 000003
【図２】
0003187909.tif 000004
【図３】
0003187909.tif 000005
【図４】
0003187909.tif 000006
【図５】
0003187909.tif 000007
【図６】
0003187909.tif 000008
【手続補正書】
【提出日】平成25年7月2日(2013.7.2)
【手続補正１】
【補正対象書類名】実用新案登録請求の範囲
【補正対象項目名】全文
【補正方法】変更
【補正の内容】
【実用新案登録請求の範囲】
【請求項１】
壁面取付け板を備えた壁掛け金具とフレーム式のテレビ用台座で構成され、壁掛け金具突起部先端とテレビ用台座フレーム中央上部及び下部とを接続し、薄型テレビ用壁掛け台座の形態を成すことを特徴とする薄型テレビ用壁掛け金具付き台座
【請求項２】
前述のテレビ用台座のフレームの上部中央及び下部中央には壁掛け金具突起部先端の接続部を配し、フレーム上部及び下部の両端には設置するテレビ画面と並行方向に伸縮するフレームを配し、かつまた前述の伸縮可能なフレームの先端には設置するテレビ画面と直交方向に伸縮するフレームを配し、テレビ用台座フレームの下部には鉛直方向に伸縮するフレームを配することにより、テレビ用台座フレームの任意の寸法調整を可能とすることを特徴とする請求項１記載の薄型テレビ用壁掛け金具付き台座
(57)【要約】      （修正有）【課題】従来の配電回路をそのまま使いながら、きめ細かい調光制御を一括しておこなうことができるＬＥＤ照明器具一括調光制御装置を提供する。【解決手段】壁スイッチ１に内蔵されたトライアックで、交流電源２の０Ｖサイクルにあわせて、各電源のＩＤと調光信号をデジタル化して送り、その下につながった各電源はその信号を０Ｖ毎の遅延のあるなしでデコードし、各電源のＩＤと比較した後、ＩＤが一致すればその調光データを当該電源の直流ＰＷＭ出力とすることで、交流電源線のみで個別に調光できるように構成したことを特徴とする。【選択図】図１
0003187941.tif 000002
【実用新案登録請求の範囲】
【請求項１】
商用電源配線を使って、グループごとのきめ細かい調光を一括しておこなうことができるＬＥＤ照明器具一括調光制御装置
【考案の詳細な説明】
【技術分野】
【０００１】
本考案は、ＬＥＤ照明の調光制御に関するものである。
【背景技術】
【０００２】
ＬＥＤ照明は蛍光灯などと比較して消費電力が少なく普及が進んでいる。従来の蛍光灯器具はＡＣ電源をそのまま使っていたが、ＬＥＤ照明はＤＣ電源を使うので別途ＤＣ電源の設置が必要である。
【考案の開示】
【考案が解決しようとする課題】
【０００３】
従来の一般的な蛍光灯は無段階の調光が難しく、きめ細かい省エネルギーには向いていなかった。現在主流になりつつある直管式蛍光灯型のLED灯は、多くの事務所や店舗で使われており、置き換え需要は非常に大きい。しかしながら、単純に置き換えても元の器具には調光機能が備わっておらず、同じような明るさで、消費電力が減るだけであった。
【課題を解決するための手段】
【０００４】
本制御装置を利用すると、従来の配電回路をそのまま使いながら、きめ細かい調光制御を一括しておこなうことができるので、より一層の省エネルギーが達成できる。
【考案の効果】
【０００５】
本装置は、従来の蛍光灯内の安定器と置き換える、調光制御付きAC-DC電源部と、それらに一括して調光制御信号を送る調光制御スイッチから構成される。従来型の蛍光灯は交流電源で駆動される。LEDは直流で駆動されるので、直管式蛍光灯型のLED灯に変更する場合も、単に差し替えるだけでは点灯しない。その場合の方法はいくつかあり、新築のビルの場合は、あらかじめ照明回路については直流にしておくことで対処できる。また、蛍光灯器具に直流電源を付加することでも対処できる。前者の場合は、電圧制御機能を電源側に持たせておけば、全体の調光も可能になる。しかし、後者の場合は照明器具までの電源は交流であり、個々の照明器具を調光型に変えたとしても、全体を制御するには別途制御手段が必要であった。
【考案を実施するための最良の形態】
【０００６】
本装置の場合は、AC-DC電源部に調光制御装置および信号受信装置を内蔵しているのが特徴である。現在、通信制御機器には、AC電源にデジタル信号を重ねて送る機器もあるが、それらは価格が高く数百、数千の照明器具に内蔵するには価格的に難しかった。本装置では、交流電源を瞬間的に停電させることで、信号を送る方法を採用した。内蔵電源部には数秒程度の瞬間停電に耐えられる構造を採用し、内部のマイコンで常時交流電源を監視し、瞬間停電が発生すれば、その停電時間を測定するようになっている。一般的な交流は５０-６０Hz程度なので、概ね１０ｍｓ前後の間隔で電圧が正確に０Vになっている。その０V点の計測機能は簡単に実現できるので、それを利用し停電時間を正確に測定することができる。瞬間停電時間を調光信号と考えて、瞬間停電が終わった後に、その調光信号に合わせた照度でLED電源の電圧を設定する。
【０００７】
瞬間停電は壁スイッチに内蔵したトライアックなどの半導体を利用して作り出す。０Ｖになった時点から一定時間電源をオフのままにする。従来のトライアックを使った調光装置では、そこにつながった照明器具全体が同じように調光される。それは停電時間の割合を変えることで商用電源の電圧を変えてしまうからである。本装置の場合は電圧は変えず調光の必要な場合のみ、調光指令を送るだけなのでその指令を受け取った電源だけが調光を実行するようになっている。
【０００８】
具体的な調光指令の一例は、トライアックが常時オンで０Ｖ以降に停電の無い場合を１、一定時間の停電がある場合を０として、制御信号を送る場合である。通常のシリアル信号と同じように、スタートビット（０）、８ビットのデータ（０または１）、ストップビット（１）を０Ｖの発生するたびに送信する。電源側ではそれを解読し、データに含まれるＩＤおよび調光データを解析して、調光を実行する。この例だと、５０Ｈｚの電源では１００ｍｓごとに調光データを送信できる。ただし送信は調光の必要な時だけ発生する。
【実施例１】
【０００９】
図１は、本考案装置の実施例の概念図である
【産業上の利用可能性】
【００１０】
省エネは今後ますます必要とされ、蛍光灯は水銀汚染の問題もあり、今後ＬＥＤ照明に置き換えられる。その場合調光制御を併用できればより一層の省エネが可能であるが、従来のＡＣ電源だけでは、きめ細かな調光ができなかった。本装置を使えばトライアックの利点を活かして、時間ごとの点灯、消灯の制御や調光が可能になり、その利用可能性は非常に大きい。
【図面の簡単な説明】
【００１１】
【図１】調光システムの実施方法を示した概念図である。（実施例１）
【符号の説明】
【００１２】
１    調光制御スイッチ
２    ＡＣ電源入力
３    制御後のＡＣ電源
４    ＬＥＤ調光電源器具
５    ＬＥＤ照明
【図１】
0003187941.tif 000003
【手続補正書】
【提出日】平成25年10月22日(2013.10.22)
【手続補正１】
【補正対象書類名】実用新案登録請求の範囲
【補正対象項目名】全文
【補正方法】変更
【補正の内容】
【実用新案登録請求の範囲】
【請求項１】
壁スイッチに内蔵されたトライアックで、交流電源の０Ｖサイクルにあわせて、各電源のＩＤと調光信号をデジタル化して送り、その下につながった各電源はその信号を０Ｖ毎の遅延のあるなしでデコードし、各電源のＩＤと比較した後、ＩＤが一致すればその調光データを当該電源の直流ＰＷＭ出力とすることで、交流電源線のみで個別に調光できるＬＥＤ照明器具一括調光制御装置
(57)【要約】      （修正有）【課題】災害時に簡単な１枚の袋で連続して用便でき、衛生的で複数回の使用が可能な便貯留袋密閉式簡易便器を提供する。【解決手段】ペダル７に連動した密閉棒３が、用便時又は用便後に開き便などを下に落とし、その後は便貯留袋の中央部を両側から挟み込み、内容物を隔離する。また、便座の蓋１を開けると凝固剤容器４から投入部に凝固剤粉末が入り、蓋を閉めると投入部が便座後部にあたって開き、投入部で計量された１回分の凝固剤が投入される。【選択図】図１
0003187942.tif 000002
【実用新案登録請求の範囲】
【請求項１】
便貯留袋の中央部分を、密閉機構で挟み込むことで、衛生的且つ臭いの発生のない簡易便器の構造
【請求項２】
必要な凝固剤を自動投入できる機構
【考案の詳細な説明】
【技術分野】
【０００１】
本考案は、簡易式便器に関するものである。
【背景技術】
【０００２】
災害時における水や電気を使わない簡易便器について、衛生面や取り扱いを簡単にするための技術。
【考案の開示】
【考案が解決しようとする課題】
【０００３】
従来の袋式簡易便器は、1回分ごとに凝固剤を入れて廃棄するものが多かった。連続式の物は、袋の費用が高く付いたり、袋の供給に問題があった。連続式でない物は便器に袋を取り付けた状態で、袋の口が開いており、不衛生且つ見た目も悪かった。
また、従来のものは毎回凝固剤をスプーンなどで散布する必要があった。災害時などはテントなどの中で用を足すので、凝固剤の置く場所なども無く、不便であった。
【課題を解決するための手段】
【０００４】
この便器は、簡単な1枚の袋で連続して用便できることを目的に作られた。この便器では、中央部にある密閉棒が袋を両側から挟み込み、内容物を隔離している。そのため衛生的で中身も見えない。また、匂いも出てこないので複数回の使用でも全く問題が発生しない。密閉棒の開閉は横にあるペダルに連動しており、それを踏むことで簡単に開閉できる。
また、この便器の蓋には、凝固剤を入れる容器があり、蓋の開閉に連動して、1定量を自動的に投入できるようになっている。そのため蓋を閉めるだけで、自動的に凝固剤が投入され、非常に便利で手を汚すこともない。通常の便器と同じように、用便後は蓋を閉め、ペダルを踏むだけで、凝固剤の投入と、貯留部への落下が自動的におこなわれる。また一切の電力や水は必要としない。
【考案の効果】
【０００５】
この便器は１枚の袋で２０−３０回程度利用できるので、袋の交換の手間が少なくなり、災害時や一般の介護、老人用の自室利用などでも非常に便利である。
【実施例１】
【０００６】
図１は、本考案装置の実施例の構造図である
【産業上の利用可能性】
【０００７】
災害時用の備蓄はもちろんのこと、老人介護用などの用途は今後ますます増えていくと思われ、身近にトイレを置くことで排泄介護に頼らず自身で排泄可能になる。そうした介護の幇助などに利用される可能性が大きい。
【図面の簡単な説明】
【０００８】
【図１】便貯留袋密閉式簡易便器の構造図である。（実施例１）
【符号の説明】
【０００９】
１    便器蓋
２    便座
３    袋密閉棒
４    凝固剤容器
５    凝固剤投入機構
６    下部容器
７    密閉棒駆動ペダル
【図１】
0003187942.tif 000003
【手続補正書】
【提出日】平成25年10月22日(2013.10.22)
【手続補正１】
【補正対象書類名】実用新案登録請求の範囲
【補正対象項目名】全文
【補正方法】変更
【補正の内容】
【実用新案登録請求の範囲】
【請求項１】
ペダルに連動した密閉棒が、用便時又は用便後に開き便などを下に落とし、その後は便貯留袋の中央部を両側から挟み込み、内容物を隔離することで、衛生的で中身も見えず匂いも出ず、複数回の使用ができる便貯留袋密閉式簡易便器
【請求項２】
便座の蓋を開けると凝固剤容器から投入部に凝固剤粉末が入り、蓋を閉めると投入部が便座後部にあたって開き、投入部で計量された１回分の凝固剤が投入されることを特徴とする請求項１の便貯留袋密閉式簡易便器
(57)【要約】      （修正有）【課題】複数本のテニスラケットを持ち運ぶ際、テニスラケットを傷つけず収納できるラケットケースを提供する。【解決手段】ラケットケース内に仕切りを設けることによりラケットどうしが傷つけあうことなく持ち運び可能となる。袋状の本体の前面部分Ａと後ろ面部分Ｂの間に挟み込むようにしきり布Ｃを配し、ラケットをＡとＣの間、ＣとＢの間に収納することによってラケットどうしが接触しないようにする。さらにしきりを増やすことによって３本以上複数本も同じ効果での収納も可能とする。【選択図】図１
0003187860.tif 000002
【実用新案登録請求の範囲】
【請求項１】
テニスラケット収納ケース内に複数の仕切りを配し、テニスラケットを傷つけずに収納可能としたラケットケース。
【考案の詳細な説明】
【技術分野】
【０００１】
本考案は、テニスラケットを傷つけずに収納できるテニスラケットケースに関する物である。
【背景技術】
【０００２】
通常テニスラケットはラケットケースに入れて持ち運ぶ。2本以上複数本を持ち運ぶ際も一つのラケットケースに入れて持ち運ぶがその際、ラケットどうしがぶつかり合い傷ついてしまう。
【考案の概要】
【考案が解決しようとする課題】
【０００３】
解決しようとする問題点は、ケース内においてラケットどうしが傷つけあってしまう点である。
【課題を解決するための手段】
【０００４】
本考案は、ラケットケース内においてラケットが衝突しないように、1本ごとにしきりを付ける点を特徴とする。
【考案の効果】
【０００５】
本考案のラケットケースは、ケース内に1本ごとの仕切りがあるため、ケース内でラケットどうしが接触せず傷付けずに持ち運び、保存が可能となる。
【図面の簡単な説明】
【０００６】
【図１】袋状の本体の前面部分Ａと後ろ面部分Ｂの間に挟み込むようにしきり布Ｃを配し、ラケットをＡとＣの間、ＣとＢの間に収納することによってラケットどうしが接触しないようにする。さらにしきりを増やすことによって3本以上複数本も同じ効果での収納も可能とする。
【考案を実施するための形態】
【０００７】
2本以上複数本のラケットを持ち運ぶ際、複数のラケットケースを必要とせず、ラケットケース内に仕切りを設けることにより複数を一度に持ち運び可能とした。
【図１】
0003187860.tif 000003
(57)【要約】      （修正有）【課題】気密室への空気の流入を確実に阻止して、長時間安定して吸着対象に吸着させることが可能な吸盤を簡単な構造で低価格に実現するウオーター吸盤を提供する。【解決手段】ドーム形状の吸盤１に、軟質、かつ吸水性を有し、最大外形寸法が（気密室内面長×２）以下の平板状の吸水プレート２を気密室内面に沿わせて気密室底部で固定ピン７により固定する構造とする。吸水プレート２に水を含ませた状態で吸盤１を吸着対象に押し付けることにより、気密室の減圧をに伴う水の滲み出し、水の蒸発により気密室内面に水膜が形成される。【選択図】図１
0003187813.tif 000002
【実用新案登録請求の範囲】
【請求項１】
ゴム材や弾力性のあるプラスチック材で形成するドーム形状の吸盤に、軟質、かつ吸水性を有し、最大外形寸法が（気密室内面長×２）以下の平板状の吸水プレートを気密室内面に沿わせて気密室底部で固定具により固定する構造とし、吸水プレートに水を含ませた状態で吸盤を吸着対象に押し付けることにより、気密室の減圧に伴う水の滲み出し、水の蒸発により気密室内面に水膜が形成され、長時間安定した吸着を持続させることが可能なウオーター吸盤。
【考案の詳細な説明】
【技術分野】
【０００１】ゴムや弾力性のあるプラスチックでドーム形状に構成し、吸着対象にドームを伏せる向きに押しつけ、ドームを窪ませることでドームと吸着対象との間の空気を抜いてドームの弾性により元の形状に戻ろうとする力により内部の気圧を低い状態に保持して、外の大気圧との差で吸着対象に吸着させる吸盤を長時間安定して吸着対象に吸着させられる吸盤構造。
【背景技術】
【０００２】一般的に、吸盤は吸盤と吸着対象との微細な隙間によってドーム状の気密室に空気が流入することにより吸着対象から脱落しやすく、長時間安定して吸着させることは極めて困難である。
【考案が解決しようとする課題】
【０００３】気密室への空気の流入を確実に阻止して、長時間安定して吸着対象に吸着させることが可能な吸盤を簡単な構造で低価格に実現する。
【課題を解決するための手段】
【０００４】ドーム形状の吸盤に、軟質、かつ吸水性を有し、最大外形寸法が（気密室内面長×２）以下の平板状の吸水プレートを気密室内面に沿わせて気密室底部で固定具により固定する構造とし、吸水プレートに水を含ませた状態で吸盤を吸着対象に押し付けることにより、気密室の減圧をに伴う水の滲み出し、水の蒸発により気密室内面に水膜が形成される。
【考案の効果】
【０００５】吸盤を吸着対象に押し付けることにより、気密室の減圧で吸水プレートに含ませた水が滲み出し、蒸発により気密室内面に水膜が形成されるとともに、吸水プレートを機械的に押さず、主に気密室の減圧に依存することにより、吸盤と吸着対象を分離する力も加わらないため、吸盤を長時間安定して吸着対象に吸着させることが可能になる。
【考案を実施するための形態】
【０００６】吸盤と吸着対象との間に水を付けて気密室への空気の流入を防ぐことで、長時間吸着させるなどの手段は既に公知となっており、特開平１１−２３６９１２には機械的にスポンジから水を押し出す構造の提案もされている。しかし、機械的に水を押し出す構造では押し圧により吸着対象と吸盤を分離する力が加わるため長時間吸着とは基本的に逆行する。本考案のウオーター吸盤は図１に概念図を示すように、吸盤１の気密室内面に軟質吸水プレート２を沿わせて、固定ピン７で吸盤に固定する構造であり、吸水プレートに水を含ませた状態で吸盤を吸着対象に押し付けることにより、吸盤の減圧により吸水プレートに含まれる水が滲み出て蒸発することにより、吸盤の内面に水膜が形成され吸盤への空気の進入が防がれるとともに、吸水プレートを薄い平板として機械的に押されるのを避けているため、吸盤と吸着対象を分離する力が加わらず長時間吸着が可能になる。図２は吸盤の構成図を示し、３は吸水プレートを固定するために固定ピン７を差し込むための所定の深さの固定穴、Ｌは気密室内面長を示している。図３は平板状の吸水プレートの例を示し、５は円盤型のプレートであり最大外形寸法を（Ｍ＜Ｌ×２）とする、６は正八角形で形成した場合を示しＮ＜Ｌ×２とすることにより、吸水プレートが吸盤の気密室よりはみ出して吸着を妨害することを防いでいる。４は固定ピンを通す穴である。図４は吸水プレートを吸盤の固定穴に固定する固定ピン７を示す。
【実施例】
【０００７】本考案による吸着盤の具体的な実施例を示す。吸盤はφ４０ｍｍ、高さ１７ｍｍで塩ビ材で形成されており、吸水プレートはφ２６ｍｍ、厚さ２ｍｍの連続気泡のメラミンスポンジで、中央にφ３ｍｍの穴をあけた円盤状に形成し、穴にφ３．５ｍｍの固定ピンを通し、固定ピンを吸盤の気密室底に設けたφ３ｍｍの固定穴に差し込んで止める。吸水プレートはスポンジ、綿、不織布、紙など軟質で吸水性に富んだ素材であれば良く、中でもメラミンスポンジは表面の平滑さによる気密室内面への沿い易さや吸水性に特に優れている。また吸水プレートの吸盤への固定は、吸着対象から吸盤を外すときに吸着対象に吸水プレートが付着するのを防ぐ意味があり、本実施では固定穴より太径の固定ピンを押し込む構成としたが、固定ピンと吸水プレートを一体形成するなども可能であるなど、各種ディメンジョン、素材などに関しては本考案の趣旨を逸脱しない範囲であれば種々変形実施が可能である。
【図面の簡単な説明】
【０００８】
【図１】本考案によるウオーター吸盤の構成概念図
【図２】吸盤の構成概念図
【図３】吸水プレートの構成概念図
【図４】固定ピンの構成概念図
【符号の説明】    １  吸盤
２  吸水プレート
３  固定穴
４  吸水プレート穴
５  円盤型吸水プレート
６  正八角形型吸水プレート
７  固定ピン
Ｌ  気密室内面長
Ｍ、Ｎ  最大外形寸法
【図１】
0003187813.tif 000003
【図２】
0003187813.tif 000004
【図３】
0003187813.tif 000005
【図４】
0003187813.tif 000006
(57)【要約】      （修正有）【課題】収納の分野でリビング等でカバンや大型の紙袋を小スペースで整理収納するためのスキマラックを提供する。【解決手段】右フレーム２と左フレーム１を側面フレーム３及び底面フレーム４とを溶接固定したスキマラックにおいて、底面フレーム４には側面フック５及び正面フック６が溶接固定される。右フレーム２及び左フレーム１の上に次のスキマラックの側面フック５及び正面フック６を接続して複数のスキマラックを積み重ねる事が出来る。【選択図】図１
0003187882.tif 000002
【実用新案登録請求の範囲】
【請求項１】
右フレームと左フレームを側面フレーム及び底面フレームとを溶接固定したスキマラックにおいて、前記底面フレームには側面フック及び正面フックが溶接固定され、前記右フレーム及び前記左フレームの上に次のスキマラックの前記側面フック及び前記正面フック部を接続して複数のスキマラックを積み重ねする事が出来るスキマラック。
【考案の詳細な説明】
【技術分野】
【０００１】
本考案は収納の分野でリビング等の隙間スペースを利用してカバンや大型の紙袋等を整理収納するためのワイヤーラックに関するものである。
【背景技術】
【０００２】
従来からリビング等で複数の雑誌等をを整理収納するワイヤーラックはあった。
【考案の開示】
【考案が解決しようとする課題】
【０００３】
従来のワイヤーラックは複数の雑誌等の収納は可能であるが、カバンや大型の紙袋等を整理収納する事ができない。
【課題を解決するための手段】
【０００４】
従来の物は複数の雑誌等の収納は可能であるが、カバンや大型の紙袋等を整理収納する事ができない。
本考案は従来の物の側面フレームにある複数の仕切りフレームを削除し前記側面フレーム及び底面フレームの巾を縮小し、左右のフレームの巾を拡大する事によりリビング等の隙間の小スペースで前記カバンや前記大型の紙袋等を整理収納する事を可能にした。
本考案はこれらの問題点を解決するために考案されたものである。
【考案の効果】
【０００５】
従来の物は複数の雑誌等の収納は可能であるが、カバンや大型の紙袋等を整理収納する事ができない。従来の物の壁面フレームにある複数の仕切りフレームを削除し前記側面フレーム及び底面フレームの巾を縮小し、左右のフレームの巾を拡大する事によりリビング等の隙間の小スペースで前記カバンや大型の紙袋等を整理収納する事を可能にした。
【図面の簡単な説明】
【０００６】
【図１】正面図
【図２】左側面図
【図３】右側面図
【図４】説明図
【図５】従来の物の図
【図６】本考案の図
【考案を実施するための最良の形態】
【０００７】
（図1）正面図
（図2）左側面図
（図3）右側面図
（図4）説明図
（図5）従来の物の図
（図6）本考案の図
（図1〜図4）の符号
1左フレーム
2右フレーム
3側面面フレーム
4底面フレーム
5側面フック
6正面フック
【符号の説明】
【０００８】
1左フレーム
2右フレーム
3側面フレーム
4底面フレーム
5側面フック
6正面フック
【図１】
0003187882.tif 000003
【図２】
0003187882.tif 000004
【図３】
0003187882.tif 000005
【図６】
0003187882.tif 000006
【図４】
0003187882.tif 000007
【図５】
0003187882.tif 000008
(57)【要約】      （修正有）【課題】緩みにくいボルト・ナットを提供する。【解決手段】ボルトの頭１１とナット２の形状を半楕円とし、ボルトの頭１１の締め付け治具の嵌めこまれる穴を５角形とした構成とした。更に、ボルト１の締め付け面およびナットの締め付け面の少なくともいずれか一方に同心状の起伏を設けた構成とした。これによって、挟み込み治具でボルトの頭１１とナット２を挟み込んで締め付けを緩めることができない。また、締め付け治具が嵌め込まれる孔１２を５角形としているので、市販のアタッチメントを使用することができない。【選択図】図１
0003187830.tif 000002
【実用新案登録請求の範囲】
【請求項１】
ボルトの頭とナットの形状を半楕円とし、ボルトの頭の締め付け治具の嵌めこまれる穴を５角形としたボルト・ナット。
【請求項２】
更に、ボルトの締め付け面およびナットの締め付け面の少なくともいずれか一方に同心状の起伏を設けた請求項１に記載のボルト・ナット。
【考案の詳細な説明】
【技術分野】
【０００１】
本考案は、ボルト・ナットに関し、特に、第三者が外し難いボルト・ナットに関するものである。
【背景技術】
【０００２】
ボルト・ナットは、あらゆる構造物の固定に使用されている。例えば、フェンスは支柱に対してコンクリート板、鉄板等をボルト・ナットで固定するようになっている。
【０００３】
構造物の締め付けに使用されたボルト・ナットは外れないのが好ましく、近年では緩まないボルト・ナットが開発されているが、構造が複雑になり、コスト高となる傾向がある。
【考案の概要】
【考案が解決しようとする課題】
【０００４】
発電所のフェンス等は外部からの進入を防ぐ必要があるので、支柱とコンクリート板、鉄板を止めているボルト・ナットをとして、緩み止め機構が付いている製品を使用することは理想ではあるが、コスト高となる。一方、従来から使用されているボルト・ナットをそのまま使用するについては、安価ではあるが、自然の緩みあるいは人為的にこじ開けようとする行為があったときには、不安がある。
【０００５】
本考案は上記従来の事情に鑑みて提案されたものであって、コストが掛からずかつ、外し難いボルト・ナットを提供することを目的とするものである。
【課題を解決するための手段】
【０００６】
本考案は、ボルトの頭とナットの形状を半楕円とし、ボルトの頭の締め付け治具の嵌めこまれる穴を５角形とした構成とした。更に、ボルトの締め付け面およびナットの締め付け面の少なくともいずれか一方に同心状の起伏を設けた構成とした。
【考案の効果】
【０００７】
ボルトの頭とナットの外形が半楕円となっているので、挟み込み治具でボルトの頭とナットを挟み込んで締め付けを緩めることができない。また、挟み込み治具が嵌め込まれる孔を５角形としているので、市販のアタッチメントを使用することができず、人為的には緩めることができないことになる。ボルトあるいはナットの締め付け面に起伏を設けているので、定着力が大きくなり、更に緩め難くなる。
【先行技術文献】
【特許文献】
【０００８】
なし
【図面の簡単な説明】
【０００９】
【図１】本考案の斜視図
【図２】本考案の断面図
【考案を実施するための形態】
【００１０】
図１は本考案の斜視図であり、図２は図１のA-A断面図である。
【００１１】
ボルト１にナット２が螺着される点は、通常のボルト・ナットと同じ構造となる。前記ボルトの形状、及びナットの形状は、半楕円の外観形状を持ち、当該ボルト・ナットが締め付けられた状態で、スパナ等でボルトの頭、あるいはナットを強く挟み込んで、当該締め付けを外す方向に回転させても滑ってしまい、締め付けを外す力がでないようになっている。
【００１２】
ボルト１の頭１１の先端には、締め付け治具３の先端が嵌り込む締め付け孔１２が設けられている。当該締め付け孔１２は、五角形であり、通常の六角形の締め付け治具が入らないようになっている。
【００１３】
更に、ナット２の断面形状（図２）からもわかるように締め付け面２１に、径方向に規則的な起伏２２、すなわち、周方向には径の異なる山と谷が交互に同心に複数形成される。この山と谷によって形成される起伏２２は、ボルト１の頭の締め付け面側にも形成することができる。
【００１４】
このボルトを締め付けるには、通常のボルト・ナットと同様、締め付け治具の先端を締め付け孔１２に嵌め込んでボルトを回していくことになるが、ここで使用される治具３の先端は五角形でなければならないことになり、市場には販売されていない。上記のように締め着けると、ナットあるいはボルトの締め付け面に形成された、起伏が、締め付け対象に食い込み締着力を増すことなるとともに、締着面積を増加させることになる。
【００１５】
前記ボルト・ナットが一旦締め付けられると、スパナ等の挟み込み治具でボルトの頭とナットを挟み込んで締め付けを緩める方向に回そうとしても、外形が半楕円になっているので、挟み込み治具がすべることになり、緩めることができないことになる。加えて、ナットあるいはボルトの締め付け面に形成された起伏による締着力の増加もあいまって、締着を外すことが難しくなる。
以上説明したように、本考案は、ボルトの頭とナットの外形が半楕円となっているので、挟み込み治具でボルトの頭とナットを挟み込んで締め付けを緩めることができない。また、具が嵌め込まれる孔を５角形としているので、市販のアタッチメントを使用することができず、人為的には緩めることができないことになる。ボルトあるいはナットの締め付け面に起伏を設けているので、定着力が大きくなり、更に緩め難くなる。
【産業上の利用可能性】
【００１６】
以上説明したように、本考案は簡単でありながら、緩み難い構造になっているので、産業上の利用可能性は極めて高い。
【符号の説明】
【００１７】
１  ボルト
２  ナット
１１  ボルトの頭
１２  締め付け孔
２１  締め付け面
２２  起伏
【図１】
0003187830.tif 000003
【図２】
0003187830.tif 000004
(57)【要約】      （修正有）【課題】外気温が任意の設定温度になった時、冷暖房の作動を止めて外気を連続して取り込む装置を組み込んだ外気も取り込める冷暖房機を提供する。【解決手段】使用者は室内機１の外気温度設定装置５で取り入れたい外気の温度を設定する。それを仮に２５度以下とする。その設定温度を室外に取り付けられた気温センサーに接続線６を介して認知させ、気温センサーが２５度以下を感知した時接続線４を介して室外機の運転が止まり、同時に接続線１０を介して外気取込機能が作動し外気取込口２から、室内機１の送風口７より室内に使用者が設定した外気が送風される。【選択図】図１
0003187803.tif 000002
【実用新案登録請求の範囲】
【請求項１】
冷暖房機の室内機本体に取り込みたい任意の外気温を設定できる装置を設け、前記装置から室外機に設けられた気温センサ−に接続線を介して任意の設定された外気温を認知させ、前記気温センサ−が任意の設定された外気温を感知したとき、接続線を介して冷暖房機の室外機の運転が止まると同時に、別の接続線を介して、室内機の外気取込機能が作動し、前記任意の設定された外気温を室内に取り込むことを特徴とする外気も取り込める冷暖房機。
【考案の詳細な説明】
【技術分野】
【０００１】  本考案は、冷暖房機に好みの外気温になった時、室外機の機能を止めて、外気を取り込む機能を付属させる冷暖房機に関するものである。
【背景分野】
【０００２】  従来例えば、夜間に、冷暖房機の冷房の機能を使っている際タイマ−を使って冷えすぎ防止や節電をしていた。タイマ−が切れた時、外気が冷えていたとしても、外気を取り入れるためには、人が起きて窓を開けるしかなかった。
【考案の概要】
【考案が解決しようとする課題】
【０００３】  外気が冷房及び暖房機を使わずとも、快適な温度になっている時、冷暖房機の室外機機能を止めて、窓を開けることなく室内に外気を取り込む機能を提供する。
【課題を解決するための手段】
【０００４】  本考案は、冷暖房機の室内機を設置する場所に、外気を取り込む穴を空けその穴を室内機にパイプを通してつなぎ、前記室内機の送風口から外気を室内に送り込む。その時の前記室外機の機能は、室外機に取り付けられた温度センサ−によって、冷暖房機能を使わずとも外気が快適な温度に達していると、感知した時に接続線を介して止められている。
【考案の効果】
【０００５】  従来のタイマ−を使った冷暖房機能のコントロ−ルだけでは、外気が既に快適な温度に達しているにも拘らずそれを有効活用することが難しかった。快適な温度の外気を取り入れることで、節電につなげることができるし又、過度の冷えすぎや暖めすぎでの体調の悪化を防ぐこともできる。
【図面の簡単な説明】
【０００６】
【図１】冷暖房機の室内機と付属する機能と接続線
【図２】冷暖房機の室外機と付属する機能と接続線
【考案を実施するための形態】
【０００７】  冷暖房機の室外機に温度センサ−をつける。それとともに前記冷暖房機の室内機に外気取込口を設け、取込口に外気を通す穴を前記室内機の設置場所の壁に空け前記室内機の外気取込口と壁に空けられた穴をパイプでつなぐ。前記温度センサ−と、室外機、室内機を接続線でつなぐ。前記気温センサ−が使う人の設定した外気温を感知した時、室外機の運転は接続線を介して止まる機能を持つ。別の接続線を介して、室内機に設けられた外気取込口から、外気を取り込む運転が作動し、室内機の送風口から室内に、使用者の設定した気温の外気が室内に送風される。
【実施例】
【０００８】  以下添付図に従って、一実施例を説明する。１は冷暖房機の室内機本体であり、２の外気取込パイプを設け３の壁を貫通した穴を空けたものに接続する。４は、室外機に取り付けられた気温センサ−からの接続線  ５は、室内機に設けられた使用者が取り入れたい外気の温度を設定する装置であり、８の室外機に設けられた外気温センサ−９に接続する接続線６を有する。【０００９】９は室外機本体であり、そこに気温センサ−９を設け、気温センサ−９は、室内機に設けられた外気温設定装置と接続線５を介してつながっている。また、この気温センサ−は、１０の室外機運転機能への接続線及び１１の室内機に設けられた外気取込機能の運転機能への接続線を有する。【００１０】  まず、使用者は室内機の５外気取り入れ設定温度装置で取り入れたい外気温の温度を設定する。それを仮に２５度以下とする。その設定温度を室外に取り付けられた９の気温センサ−に接続線を介して認知させ、気温センサ−が２５度以下を感知した時接続線４を介して室外機８の運転が止まり、同時に接続線１１を介して外気取込機能が作動し外気取込口２を経て、室内機１の送風口７から室内に使用者が設定した外気が送風される。
【符号の説明】
【００１１】１  冷暖房機室内機本体
２  外気取込口
３  壁を貫通するように空けられた穴
４  取込外気温設定装置から外気取込機能への接続線
５  取込外気温設定装置
６  取込外気温設定装置から気温センサ−への接続線
７  室内機送風口
８  冷暖房機室外機本体
９  外気温センサ−
１０  室外機運転機能への接続線
【図１】
0003187803.tif 000003
【図２】
0003187803.tif 000004
(57)【要約】      （修正有）【課題】多くの書類を入れるファイリングホルダーを扱う場合の識別を容易にし、同時にファイリングホルダーを重ねて格納野にも容易に出来るファイリングホルダーを提供する。【解決手段】ファイリングホルダー１の背の部分に切り込み２ａ，２ｂ，２ｃ・・を入れ開閉出来るようにすることでファイリングホルダー１の識別を容易にすると同時にファイリングホルダー１の切り込み２ａ，２ｂ，２ｃ・・部の格納も容易なファイリングホルダー１を提供する。ファイリングホルダー１の背の部分に切り込みを入れる場合ファイリングホルダー１に使用される厚みにもより剛性も変化するので、垂直の切り込みと左右傾斜の切り込みの長さ比率を変えると同時に傾斜切り込みの角度と合わせてやることにより、容易にできると同時にファイリングホルダー１内に保持する事が出来る。【選択図】図２
0003187801.tif 000002
【実用新案登録請求の範囲】
【請求項１】
ファイリングホルダーの背の部分に、ある一定間隔にコの字形に切り込み入れ開閉出来るようにしたファイリングホルダー。
【請求項２】
ファイリングホルダーのコの字切り込みをファイリングホルダー面に対して垂直と左右傾斜切り込みを入れたコの字切り込み部を構成しファイリングホルダーの中に保持出来るようにしたファイリングホルダー。
【考案の詳細な説明】
【技術分野】
【０００１】  本発明は一般事務用品に関する。
【考案が解決しようとする課題】
【０００２】  数枚の書類を入れるファイリングホルダーその物は背表紙が取付られる程度に厚さが無いのが普通である。そのファイリングホルダーの数が多くなった場合付箋を付けたとしても容易に要望のファイリングホルダーを短時間に見つけ出せなくなります。そこでファイリングホルダーの背の部分に切り込みを入れ、その切り込み部分を起こしたり、折りたたみ格納するようにします。その切り込み部分にその書類の名称や識別番号を張りつけることにより、容易に識別し簡単に見つけ出せるようにするものです。
【０００３】  しかし、ファイリングホルダーの背の部分に切り込み入れ開いた状態のままでは、ファイリングホルダーその物を格納するには元の位置に固定出来ませんので不便になります。そこでファイリングホルダーその物を積み重ね格納する場合には元の位置に簡単に収められるように切り込み部に加工を施すことにより容易に格納出来るものです。
【図面の簡単な説明】
【０００４】
【図１】本装置を使用した状態図
【図２】ファイリングホルダーに切り込みを入れた状態図
【図３】切り込みの詳細図
【考案が実施するための形態】
【０００５】  本考案の実施形態を添付図面に基づいて説明する。
【０００６】  ファイリングホルダー１の構成は図２で説明する。ファイリングホルダー１は背の部分に背側から長さａ巾ｂで切り込み２ａ，２ｂ，２ｃ・・を入れる。間隔は上から長さｃで切り込み間隔はｄで順次切り込みを入れる。切り込み２ａ，２ｂ，２ｃ・・は指先で押せば簡単に押し出せるようにすると同時に元の位置に戻せば固定出来るような構造として有ります。図１に基づいて使用状態を説明する。図１はファイリングホルダー１をブックスタンド（符号は付与していません）で立てた状態を示しています。最初のファイリングホルダー１を立てる場合例えば切り込み２ａを押し出して開きたてます。２番目のファイリングホルダー１を立てる場合は例えば切り込み２ｂ押し出し立てれば明らかに区別が出来ます。切り込み２ａ，２ｂ，２ｃ・・部にはラベルを張ったり、字を書く事によって更に明確に区別が出来るようになります。
【０００７】  ファイリングホルダー１の切り込み２ａ，２ｂ，２ｃ・・部の状態は図３で説明する。切り込み２ａ，２ｂ，２ｃ・・部はファイリンブホルダー１面に対して垂直な切り込みと左右に傾斜した切り込み４，５で構成されています。垂直な切り込３みを多く取れば取るほど容易に押しぬく事が出来ます。一方向の傾斜で構成したら開いている方向には簡単に開きますが、反対方向には難しくなります。傾斜角度と隙間の間隔によってもファイリングホルダー１の左右の切り込み４，５部の反発力が変わってきます。切り込み２ａ，２ｂ，２ｃ・・の出し入れを指先でほぼ同じ力でやれるように左右傾斜の切り込み４，５の数をほぼ同じにかつ右傾斜切り込み４と左傾斜切り込み５を交互に入れものです。ファイリングホルダー１に使用されている樹脂の材質や厚みによっても変わってきます。そこで垂直切り込み３と左右傾斜の切り込み４，５長さ及び傾斜角度で調整し容易に扱えるように使用とるものです。
【符号の説明】
【０００８】１−−−−−−−−−−−−−ファイル
２ａ、２ｂ、２ｃ  −−−−−コの字切り込み
３−−−−−−−−−−−−−垂直切り込み
４−−−−−−−−−−−−−右傾斜切り込み
５−−−−−−−−−−−−−左傾斜切り込み
【図１】
0003187801.tif 000003
【図２】
0003187801.tif 000004
【図３】
0003187801.tif 000005